(57)【要約】【課題】煙検知部の検知領域への異物の侵入を回避できる火災警報器が要望されている。【解決手段】発光素子１１から放出された光を検知領域２０に侵入した煙粒子で散乱させて、その散乱光を受光素子１２で検知して出力信号を出力する煙検知部２と、火災警報を発報可能な警報部３と、出力信号に基づく出力値が警報閾値以上になると警報部３に火災警報を発報させる制御部４Ａと、が備えられ、煙検知部２に、検知領域２０を中央部１５Ａに有する基材１５と、中央部１５Ａの周囲を取り囲む複数のラビリンス壁１７と、が備えられ、ラビリンス壁１７は、基材１５の中央部１５Ａよりも導電率が低くなっている。【選択図】図２
2018165955.tif 000002
【特許請求の範囲】
【請求項１】
発光素子から放出された光を検知領域に侵入した煙粒子で散乱させて、その散乱光を受光素子で検知して出力信号を出力する煙検知部と、
火災警報を発報可能な警報部と、
前記出力信号に基づく出力値が警報閾値以上になると前記警報部に前記火災警報を発報させる制御部と、が備えられ、
前記煙検知部に、前記検知領域を中央部に有する基材と、前記中央部の周囲を取り囲む複数のラビリンス壁と、が備えられ、
前記ラビリンス壁は、前記中央部よりも導電率が低くなっている火災警報器。
【請求項２】
前記ラビリンス壁は、絶縁性材料で構成されている請求項１に記載の火災警報器。
【請求項３】
前記ラビリンス壁は、帯電状態に維持されている請求項１または２に記載の火災警報器。
【請求項４】
前記ラビリンス壁を外囲する防虫網が備えられ、
前記防虫網は、前記ラビリンス壁よりも導電率が高くなっている請求項１〜３のいずれか一項に記載の火災警報器。
【請求項５】
前記防虫網は、導電性材料で構成されている請求項４に記載の火災警報器。
【請求項６】
前記防虫網の表面に、導電性塗料からなる塗膜層が設けられている請求項４または５に記載の火災警報器。
【請求項７】
前記中央部は、前記基材の外周部とは別素材で構成されている請求項１〜６のいずれか一項に記載の火災警報器。
【請求項８】
前記中央部の表面に、導電性塗料からなる塗膜層が設けられている請求項１〜７のいずれか一項に記載の火災警報器。
【発明の詳細な説明】
【技術分野】
【０００１】
本発明は、火災時の煙を検知して火災警報を発報する火災警報器に関する。
【背景技術】
【０００２】
従来の火災警報器が、例えば、下記特許文献１に記載されている。同文献に記載の火災警報器には、発光素子（同文献の「赤外ＬＥＤ素子」）から放出された光を検知領域に侵入した煙粒子で散乱させて、その散乱光を受光素子（同文献の「ホトダイオード素子」）で検知して出力信号を出力する煙検知部と、火災警報を発報可能な警報部（同文献の「ブザー」）と、出力信号に基づく出力値が警報閾値以上になると警報部に火災警報を発報させる制御部と、が備えられている。また、煙検知部には、検知領域を中央部に有する基材と、その中央部の周囲を取り囲む複数のラビリンス壁と、が備えられている。
【先行技術文献】
【特許文献】
【０００３】
【特許文献１】特開２００２−１９７５５８号公報
【発明の概要】
【発明が解決しようとする課題】
【０００４】
ところで、上記従来の技術では、煙検知部の検知領域に塵埃等の異物が侵入する場合がある。その場合、火災による煙が発生していなくても、異物による散乱光が受光素子で検知されるため、煙検知部の出力信号が嵩増しされてしまう。このため、煙濃度が警報濃度に達するよりも早いタイミングで火災警報が発報されるおそれがあった。
【０００５】
上記実情に鑑み、煙検知部の検知領域への異物の侵入を回避できる火災警報器が要望されている。
【課題を解決するための手段】
【０００６】
本発明の火災報知器は、
発光素子から放出された光を検知領域に侵入した煙粒子で散乱させて、その散乱光を受光素子で検知して出力信号を出力する煙検知部と、
火災警報を発報可能な警報部と、
前記出力信号に基づく出力値が警報閾値以上になると前記警報部に前記火災警報を発報させる制御部と、が備えられ、
前記煙検知部に、前記検知領域を中央部に有する基材と、前記中央部の周囲を取り囲む複数のラビリンス壁と、が備えられ、
前記ラビリンス壁は、前記中央部よりも導電率が低くなっているものである。
【０００７】
本発明によれば、検知領域へ侵入する異物は、小さなものであることが多いので、静電気で吸着され易い。ラビリンス壁の方が、基材の中央部よりも導電率が低くなっていることから、ラビリンス壁の方が基材の中央部よりも静電気を帯び易くなっている。このため、検知領域内へ侵入する異物を、ラビリンス壁に吸着させ、基材の中央部に滞留させないようにすることが可能となる。
よって、本発明であれば、煙検知部の検知領域への異物の侵入を回避できるものとなる。
【０００８】
本発明において、
前記ラビリンス壁は、絶縁性材料で構成されていると好適である。
【０００９】
上記構成によれば、ラビリンス壁が静電気を帯び易くなり、ラビリンス壁に異物を好適に吸着させることができる。
【００１０】
本発明において、
前記ラビリンス壁は、帯電状態に維持されていると好適である。
【００１１】
上記構成によれば、例えば、コロナ帯電ガン等を用いて、ラビリンス壁を常に帯電状態にしておくことで、ラビリンス壁に異物を吸着させ、検知領域への異物侵入が生じ難くなる。
【００１２】
本発明において、
前記ラビリンス壁を外囲する防虫網が備えられ、
前記防虫網は、前記ラビリンス壁よりも導電率が高くなっていると好適である。
【００１３】
上記構成によれば、防虫網に異物が付着し難くなっているので、防虫網に目詰まりが発生し難くなり、検知領域への煙の取り込みに支障が生じ難くなる。
【００１４】
本発明において、
前記防虫網は、導電性材料で構成されていると好適である。
【００１５】
上記構成によれば、防虫網が静電気を帯び難くなっているので、防虫網に異物の付着が生じ難くなる。
【００１６】
本発明において、
前記防虫網の表面に、導電性塗料からなる塗膜層が設けられていると好適である。
【００１７】
上記構成によれば、防虫網をどのような素材で構成するかに関わらず、防虫網を導電性塗料でコーティングしておくことにより、防虫網に異物が付着し難くなる。
【００１８】
本発明において、
前記中央部は、前記基材の外周部とは別素材で構成されていると好適である。
【００１９】
上記構成によれば、基材のうち外周部を導電性の低い素材で構成し、基材のうち異物等の滞留を避けたい中央部のみを導電性の高い素材で構成できる。
【００２０】
本発明において、
前記中央部の表面に、導電性塗料からなる塗膜層が設けられていると好適である。
【００２１】
上記構成によれば、基材の中央部をどのような素材で構成するかに関わらず、基材の中央部を導電性塗料でコーティングしておくことにより、基材の中央部に異物が付着し難くなる。
【図面の簡単な説明】
【００２２】
【図１】火災警報器の全体を示す図である。
【図２】火災警報器における煙検知部の内部構造、及び、制御構成を示す図である。
【発明を実施するための形態】
【００２３】
以下、本発明の一例である実施形態を図面に基づいて説明する。図１では、一例として壁設置タイプの火災警報器を示している。火災警報器は、設置箇所周辺の煙濃度を計測し、その計測結果に基づいて火災警報を行う。
【００２４】
図１に示すように、火災警報器には、箱状の筐体１、煙を光で検知する光学検知式の煙検知部２、火災警報を発報可能な警報部３、煙検知部２や警報部３の制御を行う制御装置４、手動操作により火災警報を停止可能なスイッチ５等が備えられている。煙検知部２、警報部３、制御装置４、スイッチ５は、夫々、筐体１に内蔵される基板６に支持されている。
【００２５】
図２に示すように、煙検知部２には、発光信号に基づいて光を放出する発光素子１１、発光素子１１から放出された光が煙粒子で散乱された散乱光を検知する受光素子１２等が備えられている。発光素子１１は、例えばＬＥＤ素子で構成されている。受光素子１２は、例えば、フォトダイオード素子で構成されている。
【００２６】
また、煙検知部２には、筐体１に支持され、周方向に沿って複数のスリット１３が形成されている外枠１４、外枠１４内に配置される円盤状の基材１５、基材１５の外周部に支持される円周状に配置された複数のラビリンス壁１７、発光素子１１から放出された光が受光素子１２に直接入射することを阻止する遮光部材１８、ラビリンス壁１７と外枠１４との間に位置する網目状の防虫網１９等が備えられている。基材１５に、発光素子１１、受光素子１２、ラビリンス壁１７、遮光部材１８等が支持されている。ラビリンス壁１７の内側（内径側）の領域が検知領域２０となっている。
【００２７】
発光素子１１は、受光素子１２の対角位置よりも角度をずらして配置されている。また、遮光部材１８は、発光素子１１と受光素子１２との間に配置され、発光素子１１と受光素子１２とを結ぶ直線上に位置している。また、外枠１４とラビリンス壁１７により、検知領域２０へ外部の光が入り込まないようになっている。
【００２８】
図２に示すように、煙検知部２は、火災時等において、スリット１３、防虫網１９、ラビリンス壁１７間の隙間を通して、検知領域２０に煙粒子を取り込むようになっている。
【００２９】
検知領域２０に煙粒子が取り込まれていない状態では、受光素子１２は、発光素子１１が光を放出しても、基本的に光を検知しないようになっている。一方、火災時等において、検知領域２０に煙粒子が取り込まれると、煙検知部２は、発光素子１１から放出された光を検知領域２０に侵入した煙粒子で散乱させて、その散乱光を受光素子１２で検知して出力信号を出力するようになっている。
【００３０】
煙検知部２の出力信号の値の大きさは、検知領域２０における光の散乱し易さである散乱強度を示すものとなっている。煙検知部２の出力信号は、基本的に、設置箇所周辺の煙濃度と連動して変化する相関関係を有している。一方、煙検知部２の検知領域２０に埃等の異物が侵入した場合には、検知領域２０において発光素子１１の光が異物で散乱されて、その散乱光が受光素子１２で検知されるため、出力信号の値が嵩増しされる。このため、検知領域２０に埃等の異物が侵入していない場合とは、出力信号と煙濃度との相関関係が異なるものになる。
【００３１】
図２に示すように、警報部３には、火災警報音を発することが可能なブザー３Ａ、色や明滅等の点灯状態の変化により火災警報表示を行うことが可能なランプ３Ｂが備えられている。
【００３２】
〔基材について〕
図２に示すように、基材１５は、円盤状の部材となっている。基材１５の中央部１５Ａは、基材１５のうち中央部１５Ａの外縁に連設される外周部１５Ｂとは別素材で構成されている。
【００３３】
図２に示すように、基材１５の中央部１５Ａは、導電性材料で構成されている。基材１５の中央部１５Ａは、例えば、銀、胴、金、アルミニウム、マグネシウム等の導電性の高い金属で構成できる。
【００３４】
〔ラビリンス壁について〕
ラビリンス壁１７は、高分子材料で構成されている。この場合、高分子材料としては、合成有機高分子材料が挙げられる。つまり、ラビリンス壁１７は、絶縁性材料で構成されている。ラビリンス壁１７は、コロナ帯電ガン（図示なし）等を使用して、帯電状態に維持されている。ラビリンス壁１７は、基材１５の中央部１５Ａよりも導電率が低くなっている。
【００３５】
〔防虫網について〕
防虫網１９は、円筒状の部材となっており、基材１５やラビリンス壁１７を覆うようになっている。防虫網１９は、ラビリンス壁１７よりも導電率が高くなっている。防虫網１９は、外枠１４よりも導電率が高くなっている。防虫網１９は、導電性材料で構成されている。防虫網１９は、例えば、銀、胴、金、アルミニウム、マグネシウム等の導電性の高い金属で構成できる。特に、防虫網１９は、アルミニウム製とすれば、成形性にも優れたものになる。
【００３６】
このように、防虫網１９に異物が吸着し難くして目詰まりが起こり難くすると共に、防虫網１９を通り抜けた異物はラビリンス壁１７に吸着し易くしている。これにより、異物が、基材１５の中央部１５Ａに侵入したり滞留したりし難くなるので、異物の散乱光が受光素子１２で検知されることを回避できる。その結果、長期間に亘って雰囲気中の煙濃度の計測を適切に行うことが可能となり、火災警報の誤報が生じることを好適に回避できるものとなる。
【００３７】
〔別実施形態〕
以下、上記実施形態の一部を変更した別実施形態について説明する。各実施形態は、矛盾が生じない限り、複数選択して組み合わせてよい。なお、本発明の範囲は、各実施形態で示した内容に限られるものではない。
【００３８】
（１）上記実施形態では、防虫網１９が導電性の高い金属で構成されているものを例示しているが、これに限られない。例えば、防虫網１９が導電性を有するプラスチックで構成されていてもよい。
【００３９】
（２）上記実施形態では、防虫網１９が導電性材料で構成されているものを例示しているが、これに限られない。例えば、防虫網１９が導電性の低い材料で構成されており、防虫網１９の表面に、導電性塗料からなる網塗膜部が設けられていてもよい。その場合、導電性塗料としては、エポキシ変性特殊剛性樹脂を主成分とし、各種の顔料や導電性フィラーや特殊添加剤からなる熱硬化性塗料を採用できる。また、別例として、導電性塗料としは、アクリルウレタン樹脂を主成分とし、各種の顔料や導電性フィラー、特殊添加剤からなる、主剤と硬化剤の２液型導電性塗料を採用できる。また、別例として、導電性塗料としては、ポリエステル系樹脂、有機溶剤、カーボン系導電材、添加剤等が含有されていてもよい。
【００４０】
（３）上記実施形態では、防虫網１９が備えられているものを例示しているが、これに限られない。例えば、防虫網１９が備えられていなくてもよい。
【００４１】
（４）上記実施形態では、ラビリンス壁１７が絶縁性材料で構成されているものを例示しているが、これに限られない。例えば、ラビリンス壁１７が、導電性を有する部材で構成されていてもよい。
【００４２】
（５）上記実施形態では、ラビリンス壁１７が帯電状態に維持されているものを例示しているが、これに限られない。例えば、ラビリンス壁１７が帯電状態に維持されていなくてもよい。
【００４３】
（６）上記実施形態では、基材１５の中央部１５Ａが、基材１５の外周部１５Ｂとは別素材で構成されているものを例示しているが、これに限られない。例えば、基材１５は中央部１５Ａと外周部１５Ｂとともに同一の素材で構成されていてもよい。基材１５は、例えば、金属で構成したり、導電性を有するプラスチックで構成したりするとよい。この場合、中央部の表面に、導電性塗料からなる塗膜層が設けられていると好適である。その場合、導電性塗料としては、エポキシ変性特殊剛性樹脂を主成分とし、各種の顔料や導電性フィラーや特殊添加剤からなる熱硬化性塗料を採用できる。また、別例として、導電性塗料としは、アクリルウレタン樹脂を主成分とし、各種の顔料や導電性フィラー、特殊添加剤からなる、主剤と硬化剤の２液型導電性塗料を採用できる。また、別例として、導電性塗料としては、ポリエステル系樹脂、有機溶剤、カーボン系導電材、添加剤等が含有されていてもよい。
【００４４】
（７）上記実施形態において、制御装置４を通信システム（例えば、Ｗｉｆｉユニット等の近距離無線通信、インターネット等の遠隔無線通信）に接続し、制御装置４の情報（例えば、異物判定の有無、補正処理の状況、火災警報の有無等）を遠隔地等の送信できるようにしていてもよい。
【産業上の利用可能性】
【００４５】
本発明は、上記の壁設置タイプの他、天井取り付けタイプ等の種々のタイプの火災警報器に利用できる。
【符号の説明】
【００４６】
２      ：煙検知部
３      ：警報部
４Ａ    ：制御部
１１    ：発光素子
１２    ：受光素子
１５    ：基材
１５Ａ  ：中央部
１５Ｂ  ：外周部
１７    ：ラビリンス壁
１９    ：防虫網
２０    ：検知領域
【図１】
2018165955.tif 000003
【図２】
2018165955.tif 000004